(57)【要約】【課題】電気分解のための電源を供給する電気回路部を、メンテナンスが容易であって、メンテナンス時であっても、当該電気回路部に水や電解水の進入を抑制できるように設置できる電解水生成装置、及び、この電解水生成装置を備えた除菌システムを提供すること。【解決手段】ケース５０内に、貯水タンク５１と、貯水タンク５１の水を電気分解して電解水を生成する電解ユニット５２と、電解水を外部へ供給する送水ポンプ５３と、電解ユニット５２及び送水ポンプ５３に電源を供給する電源回路部３３を収容した電装ボックス３０とが収容され、ケース５０は、一側面に開放可能な電装ボックス側パネル５０Ｅを備え、この電装ボックス側パネル５０Ｅ側であって当該ケース５０の底板５０Ｂから間隔をあけた位置に電装ボックス３０を配設するとともに、電装ボックス側パネル５０Ｅから背面パネル５０Ｆに向けて下って傾斜する上面９０を有する蓋５０Ａを設けた。【選択図】図７
2010104888.tif 000002
【特許請求の範囲】
【請求項１】
単一のケース内に、水槽と、前記水槽内の水を電気分解して電解水を生成する電解ユニットと、前記電解ユニットが生成した電解水を外部へ供給する電解水供給ポンプと、前記電解ユニット及び前記電解水供給ポンプに電源を供給する電気回路部を収容した電装ボックスとが収容され、
前記ケースは、一側面に開放可能なサービス用パネルを備え、このサービス用パネル側であって当該ケースの底面から浮いた位置に前記電装ボックスを配設するとともに、前記サービス用パネルから、当該サービス用パネルに対向する他側面に向けて下って傾斜する天面パネルを設けたことを特徴とする電解水生成装置。
【請求項２】
前記電装ボックスの下方に前記電解水供給ポンプを配置したことを特徴とする請求項１に記載の電解水生成装置。
【請求項３】
前記水槽を、前記電装ボックスと前記他側面との間に配置したことを特徴とする請求項１または２に記載の電解水生成装置。
【請求項４】
電解水を生成する電解水生成装置と、この電解水生成装置により生成された電解水と空気とを接触させることにより空気を除菌する空気除菌部と、を備えた除菌システムにおいて、
前記電解水生成装置は、単一のケース内に、水槽と、前記水槽内の水を電気分解して電解水を生成する電解ユニットと、前記電解ユニットが生成した電解水を外部へ供給する電解水供給ポンプと、前記電解ユニット及び前記電解水供給ポンプに電源を供給する電気回路部を収容した電装ボックスとが収容され、
前記ケースは、一側面に開放可能なサービス用パネルを備え、このサービス用パネル側であって当該ケースの底面から浮いた位置に前記電装ボックスを配設するとともに、前記サービス用パネルから、当該サービス用パネルに対向する他側面に向けて下って傾斜する天面パネルを設けたことを特徴とする除菌システム。
【請求項５】
一つの大空間に開口した複数の吹出口に給気ダクトを介して接続されるチャンバを、上記大空間を有する建物の屋上に設け、このチャンバ内に前記空気除菌部を設けるとともに、前記チャンバ内の前記空気除菌部に電解水を供給する前記電解水生成装置を、前記チャンバとともに屋上に設置して構成されたこと、
を特徴とする請求項４記載の除菌システム。
【発明の詳細な説明】
【技術分野】
【０００１】
本発明は、電解水を生成する電解水生成装置、及び、この電解水生成装置を備えた除菌システムに関する。
【背景技術】
【０００２】
従来、水道水を電気分解して次亜塩素酸を含む電解水を生成させ、この電解水を用いて空気中に浮遊するウィルス等の除去を図った除菌装置が提案されている（例えば、特許文献１参照）。この除菌装置は、不織布等からなる加湿エレメントに電解水を供給して、加湿エレメント上で空気中のウィルス等を電解水に接触せしめ、ウィルス等を不活化することにより、空気を除菌しようとするものである。
【特許文献１】特開２００２−１８１３５８号公報
【発明の開示】
【発明が解決しようとする課題】
【０００３】
特許文献１記載の装置のように、水を電気分解して電解水を生成する装置は、電解ユニットへの電力供給等を行う電気回路部を必要とする。この電気回路部は、水や電解水が進入しないように設置することが望ましく、例えば電解ユニットが収められたケースとは分離して設置することが考えられる。しかしながら、電解ユニット等と電気回路部とがあまりに離れていると、配線の取り回しの効率が悪くなり、メンテナンス性の低下を招く可能性もある。
一方、電気回路部を電解ユニット等と同一のケースに収容する場合には、電気回路部のメンテナンスが容易となるように、この電気回路部をケース内にまとまり良く配置することが望ましい。これに加え、例えば、電気回路部のメンテナンス時であっても、この電気回路部への水や電解水が進入を抑制する構成とする必要がある。
そこで、本発明は、電気分解のための電源を供給する電気回路部を、メンテナンスが容易であって、メンテナンス時であっても、当該電気回路部に水や電解水の進入を抑制できるように設置できる電解水生成装置、及び、この電解水生成装置を備えた除菌システムを提供することを目的とする。
【課題を解決するための手段】
【０００４】
上記課題を解決するため、本発明は、単一のケース内に、水槽と、前記水槽内の水を電気分解して電解水を生成する電解ユニットと、前記電解ユニットが生成した電解水を外部へ供給する電解水供給ポンプと、前記電解ユニット及び前記電解水供給ポンプに電源を供給する電気回路部を収容した電装ボックスとが収容され、前記ケースは、一側面に開放可能なサービス用パネルを備え、このサービス用パネル側であって当該ケースの底面から浮いた位置に前記電装ボックスを配設するとともに、前記サービス用パネルから、当該サービス用パネルに対向する他側面に向けて下って傾斜する天面パネルを設けたことを特徴とする。
【０００５】
この構成によれば、電解ユニット及び電解水供給ポンプに電源を供給する電気回路部を収容した電装ボックスを、水槽と、電解ユニットと、電解水供給ポンプと、電気回路部を収容した電装ボックスとをケース内に収容しながら、この電装ボックスをケースの一側面に形成されたサービス用パネル側に配設したため、このサービス用パネルを通じて電装ボックスのメンテナンスを容易に行うことができる。また、電装ボックスはケースの底面から浮かせて配設されているため、電気回路部への水や電解水の進入を防止し、電気回路部を確実に保護できる。更に、ケースは、サービス用パネルから、当該サービス用パネルに対向する他側面に向けて下って傾斜する天面パネルを備えているため、この天面パネル上に付着した水は、ケースの他側面に向けて流れることにより、サービス用パネルを開放した場合であっても、この水がサービス用パネルの開口を通じて電気回路部へ進入することが抑制され、この電気回路部を保護することができる。
【０００６】
この構成において、前記電装ボックスの下方に前記電解水供給ポンプを配置した構成としても良い。この構成によれば、電装ボックスの下方空間を有効に利用し、電解水供給ポンプをケース内にまとまり良く配置することができる。また、サービス用パネルを通じて、電解水供給ポンプに簡単にアクセスすることができるため、この電解水供給ポンプに配管を接続する作業等のメンテナンスを容易に行うことができる。
【０００７】
また、前記水槽を、前記電装ボックスと前記他側面との間に配置した構成としても良い。この構成によれば、メンテナンスの頻度の低い水槽を電装ボックスとケースの他側面との間に配置したことにより、このケース内に水槽をまとまり良く配置することができる。
【０００８】
また、本発明は、電解水を生成する電解水生成装置と、この電解水生成装置により生成された電解水と空気とを接触させることにより空気を除菌する空気除菌部と、を備えた除菌システムにおいて、前記電解水生成装置は、単一のケース内に、水槽と、前記水槽内の水を電気分解して電解水を生成する電解ユニットと、前記電解ユニットが生成した電解水を外部へ供給する電解水供給ポンプと、前記電解ユニット及び前記電解水供給ポンプに電源を供給する電気回路部を収容した電装ボックスとが収容され、前記ケースは、一側面に開放可能なサービス用パネルを備え、このサービス用パネル側であって当該ケースの底面から浮いた位置に前記電装ボックスを配設するとともに、前記サービス用パネルから、当該サービス用パネルに対向する他側面に向けて下って傾斜する天面パネルを設けたことを特徴とする。
【０００９】
この構成によれば、電解水により空気を除菌する除菌システムが備える電解水生成装置において、電解ユニット及び電解水供給ポンプに電源を供給する電気回路部を収容した電装ボックスを、水槽と、電解ユニットと同一のケース内に収容し、この電装ボックスをケースの一側面に形成されたサービス用パネル側に配設したため、このサービス用パネルを通じて電装ボックスのメンテナンスを容易に行うことができる。また、電装ボックスはケースの底面から浮かせて配設されているため、電気回路部への水や電解水の進入を防止し、電気回路部を確実に保護できる。更に、ケースは、サービス用パネルから、当該サービス用パネルに対向する他側面に向けて下って傾斜する天面パネルを備えているため、この天面パネル上に付着した水は、ケースの他側面に向けて流れることにより、サービス用パネルを開放した場合であっても、この水が電気回路部へ進入することが抑制され、この電気回路部を保護することができる。
【００１０】
この構成において、一つの大空間に開口した複数の吹出口に給気ダクトを介して接続されるチャンバを、上記大空間を有する建物の屋上に設け、このチャンバ内に前記空気除菌部を設けるとともに、前記チャンバ内の前記空気除菌部に電解水を供給する前記電解水生成装置を、前記チャンバとともに屋上に設置して構成されたものとしても良い。
この構成によれば、大空間を有する建物の屋上に設けられたチャンバ内に空気除菌部を設けて、除菌した空気を、給気ダクトを介して大空間に供給することによって、大空間の空気を清浄化することが可能となる。そして、この構成で、屋上に設置される電解水生成装置が、電気回路部を収容した電装ボックスを、水槽と、電解ユニットと、電解水供給ポンプと、電気回路部を収容した電装ボックスと同一のケース内に収容することで、優れたメンテナンス性を確保するとともに、電気回路部への水や電解水の進入を防止し、電気回路部を確実に保護できるので、大空間の空気を清浄化する除菌システムを容易に低コストで実現できる。
【発明の効果】
【００１１】
本発明によれば、電解ユニット及び電解水供給ポンプに電源を供給する電気回路部を収容した電装ボックスをケースの一側面に形成されたサービス用パネル側に配設したため、このサービス用パネルを通じて電装ボックスのメンテナンスを容易に行うことができる。また、電装ボックスはケースの底面から浮かせて配設されているため、電気回路部への水や電解水の進入を防止し、電気回路部を確実に保護できる。更に、ケースは、サービス用パネルから、当該サービス用パネルに対向する他側面に向けて下って傾斜する天面パネルを備えているため、この天面パネル上に付着した水は、ケースの他側面に向けて流れることにより、サービス用パネルを開放した場合であっても、この水が電気回路部へ進入することが抑制され、この電気回路部を保護することができる。
【発明を実施するための最良の形態】
【００１２】
以下、図面を参照して本発明の実施の形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気（内気）は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器（後述する）で熱交換された後、供給口１１１及び給気ダクト１０５を通じて、吹出口１０４から調和空気として映画館１００内に供給される。
【００１３】
空気調和機１１０は、例えば、映画館、劇場、病院、または、ショッピングセンタ等、不特定多数の人が長時間滞在する大空間施設を有する構造物（ビル）２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１４】
図２及び図３に示すように、空気調和機１１０は、１つの筐体１１４に熱源側ユニット１と利用側ユニット２とを一体に備えて構成される。
具体的には、筐体１１４内は、仕切板１１５によって区分けされており、一方の室（機械室）１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１５】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１６】
空気調和機１１０には、利用側送風機２２の運転により、利用側熱交換器２１で冷房または暖房された調和空気を除菌する除菌ユニット１５０が設けられている。本実施形態では、除菌ユニット１５０は除菌システムに相当する。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水循環供給部５とを備えている。
【００１７】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０を通過する際に空気除菌部４で電解水と接触することにより除菌され、除菌された空気が後室１２１、供給口１１１及び給気ダクト１０５を通じて、映画館１００内に循環供給される。
【００１８】
図４は、除菌ユニット１５０の概略構成を示す図である。
除菌ユニット１５０は、除菌室１２０内に配置される空気除菌部４と上記除菌室１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
空気除菌部４は、６つのエレメントユニット４０Ａ、４０Ｂ、４０Ｃ、４０Ｄ、４０Ｅ、４０Ｆを備えている。エレメントユニット４０Ａ〜４０Ｆは、それぞれ、２枚の気液接触部材を組み合わせて構成されており、本実施形態では合わせて１２枚の気液接触部材４１Ａ１〜４１Ｆ１、４１Ａ２〜４１Ｆ２が用いられている。６つのエレメントユニット４０Ａ〜４０Ｆは、後述するように、除菌室１２０内の送風路のほぼ全面を覆うように並べて配設され、除菌室１２０内を通る空気が漏れなく気液接触部材４１Ａ１〜４１Ｆ２を通過する構成となっている。
【００１９】
気液接触部材４１Ａ１〜４１Ｆ２は、送風路１２０Ａを通過する空気に電解水を接触させる部材であり、これら気液接触部材４１Ａ１〜４１Ｆ２において送風路１２０Ａを流れる空気が所定の活性酸素種を含む電解水に接触することにより、空気中に含まれるウィルス等が不活化されて空気の除菌が行われる。
気液接触部材４１Ａ１〜４１Ｆ２は、ハニカム構造に似た３次元構造を持ったフィルタ部材であり、気体に接触するエレメント部をフレームにより支持する構造を有する。エレメント部は、図示を省略するが、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水の滴下が可能で、目詰まりしにくい構造になっている。
エレメント部には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。また、エレメント部には親水性処理が施され、電解水に対する親和性が高められており、これによって、気液接触部材４１Ａ１〜４１Ｆ２の電解水の保水性（湿潤性）が保たれ、後述する活性酸素種（活性酸素物質）と空気との接触が長時間持続される。
【００２０】
気液接触部材の数は、除菌室１２０を通過する空気量に応じて決定されるものであり、送風路１２０Ａを通過する空気量と１枚あたりの気液接触部材の除菌能力（気体接触面積）とから好適な数を算出でき、当該空気を十分に除菌できる数の気液接触部材が除菌室１２０に配置される。本実施形態を例に挙げれば、１２枚の気液接触部材４１Ａ１〜４１Ｆ１、４１Ａ２〜４１Ｆ２が用いられる。
【００２１】
また、電解水生成装置としての電解水循環供給部５は、貯水タンク５１と、貯水タンク５１内の水を電気分解して電解水を生成する電解ユニット５２と、貯水タンク５１内の電解水を空気除菌部４の各気液接触部材４１Ａ１、Ａ２〜４１Ｆ１、Ｆ２にそれぞれ供給する電解水供給管５６と、電解水供給管５６上に設けられた送水ポンプ５３と、送水ポンプ５３の下流側で上記電解水供給管５６から分岐して電解ユニット５２に接続される分岐管５４と、上記ドレンパン４４に流下した水を貯水タンク５１に導く循環水戻り管５５と、上記電解ユニット５２、送水ポンプ５３等の動作を制御する制御部６５と、を備える。
【００２２】
貯水タンク５１には、この貯水タンク５１に市水（水道水）等を供給する給水管５７と、給水弁５８とが接続され、給水弁５８は、貯水タンク５１内に設けられるフロートスイッチＦＳの動作に基づき、制御部６５によって開閉制御される。ここで、給水管５７に接続されて、貯水タンク５１に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施形態では、これらを総称して水という。
本構成では、貯水タンク５１には、井戸水等の塩化物イオン濃度の希薄な水を使用した場合であっても、この水に塩化物イオンを添加するために、予め所定の濃度に調整された食塩水を貯留した食塩水タンク５９が設けられ、この食塩水タンク５９には食塩水供給管６０を介して供給ポンプ６１が接続されており、供給ポンプ６１によって食塩水タンク５９内の食塩水が貯水タンク５１に供給される。貯水タンク５１に接続される食塩水供給管６０には逆止弁６２が設けられている。供給ポンプ６１は、例えば、電解ユニット５２で検出される導電率に基づいて制御部６５の制御によって動作するように構成されている。
なお、活性酸素種を効率よく発生させるために貯水タンク５１内の水に添加される電解質は食塩に限らず、他の電解質を用いることも可能であり、例えば、塩化カルシウムや塩化マグネシウムを用いてもよいし、他のハロゲンを含む含ハロゲン塩や、塩素及び他のハロゲンの各種ハロゲン酸塩を用いることも可能であり、ハロゲンを含まない電解質を用いてもよい。これらの電解質は水溶性であることが好ましい。
【００２３】
また、本実施形態では、貯水タンク５１の接続口に接続される電解水供給管５６は、６本の電解水供給管５６Ａ〜５６Ｆにそれぞれ分岐され、送水ポンプ５３から送られた電解水が各電解水供給管５６Ａ〜５６Ｆに略均等に分流されるようになっている。電解水供給管５６Ａ〜５６Ｆは、それぞれエレメントユニット４０Ａ〜４０Ｆに対して電解水を供給する。電解水供給管５６Ａ〜５６Ｆにより供給された電解水は、気液接触部材４１Ａ１〜４１Ｆ２に浸潤され、これら気液接触部材４１Ａ１〜４１Ｆ２から流下してドレンパン４４に集められ、循環水戻り管５５を介して貯水タンク５１に戻る。
【００２４】
電解ユニット５２は、貯水タンク５１の側面に固定配置されている。具体的には、電解ユニット５２は、有底円筒形状の本体ケースと、本体ケース内に収納される少なくとも一対の電極板７２、７３とを備え、これら電極板７２、７３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２５】
電極板７２、７３は、例えば、ベースがチタン（Ｔｉ）で構成された２枚の電極板であり、その表面には、それぞれ、イリジウム（Ｉｒ）を含む皮膜層、及び、白金（Ｐｔ）を含む皮膜層を有する。
上記電極板７２、７３間に電圧を印加すると、カソード電極（陰極）では、下記式（１）に示すように反応する。
２Ｈ2Ｏ＋２ｅ-→Ｈ2＋２ＯＨ-    ・・・（１）
アノード電極（陽極）では、下記式（２）に示すように反応する。
２Ｈ2Ｏ→Ｏ2＋４Ｈ+＋４ｅ-    ・・・（２）
これらカソード電極及びアノード電極での反応を合わせると、下記式（３）に示すように水が電気分解される。
２Ｈ2Ｏ→２Ｈ2＋Ｏ2    ・・・（３）
この反応とともに、アノード電極においては、水に含まれる塩素イオン（塩化物イオン：Ｃｌ-）が下記式（４）に示すように反応し、塩素（Ｃｌ2）が発生する。
２Ｃｌ-→Ｃｌ2＋２ｅ-    ・・・（４）
さらに、この塩素は下記式（５）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（５）
【００２６】
アノード電極で発生した次亜塩素酸（広義の活性酸素種）は、強力な酸化作用や漂白作用を有する。次亜塩素酸が溶解した水溶液、すなわち電解ユニット５２により生成される電解水は、ウィルス等の不活化、殺菌、有機化合物の分解等、種々の空気清浄効果を発揮する。このように、次亜塩素酸を含む電解水が電解水供給管５６Ａ〜５６Ｆを流れ、散水ボックスを介して気液接触部材４１Ａ１〜４１Ｆ２に滴下されると、利用側送風機２２により吹き出された空気が気液接触部材４１Ａ１〜４１Ｆ２において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材４１Ａ１〜４１Ｆ２から排出される。
【００２７】
活性酸素種によるウィルス等の不活化の作用機序として、インフルエンザウイルスの例を挙げる。上述した活性酸素種は、インフルエンザウイルスの感染に必須とされるウィルスの表面蛋白（スパイク）を破壊、消失（除去）する作用を有する。この表面蛋白が破壊された場合、インフルエンザウイルスと、インフルエンザウイルスが感染するのに必要な受容体（レセプタ）とが結合しなくなり、感染が阻止される。このため、空気中に浮遊するインフルエンザウイルスは、気液接触部材４１Ａ１〜４１Ｆ２において活性酸素種を含む電解水に接触することにより、感染力を失うこととなり、感染が阻止される。
【００２８】
従って、ルーフトップ型空気調和機１１０の除菌室１２０に気液接触部材４１Ａ１〜４１Ｆ２を備えたエレメントユニット４０Ａ〜４０Ｆ配置することにより、この除菌室１２０を通過する空気が気液接触部材４１Ａ１〜４１Ｆ２で除菌され、図１に示すように、この除菌された空気を映画館１００内で広く行き渡らせることが可能となり、大空間施設内での空気除菌及び脱臭を容易に、効率良く行うことができる。
【００２９】
ここで、電解ユニット５２内の電極板７２、７３のうち任意の側に正電位を与えるための電極の切り替えは、電極の極性を反転させることで行うことができ、本実施形態では、制御部６５によって電極板７２、７３に印加する電圧を変化（反転）させることにより、実行可能である。
また、電解水中の活性酸素種の濃度は、制御部６５の制御下、除菌するウィルス等を不活化させる濃度となるように調整される。活性酸素種の濃度の調整は、電極板７２、７３間に印加する電圧を調整して、電極板７２、７３間に流す電流値を調整することにより行われる。例えば、電極板７２に正の電位を与えて、電極板７２、７３間に流れる電流値を、電流密度で２０ｍＡ（ミリアンペア）／ｃｍ2（平方センチメートル）とすると、所定の遊離残留塩素濃度（例えば１ｍｇ（ミリグラム）／ｌ（リットル））を発生させる。また、電極板７２、７３間に印加する電圧を変更して、電流値を高くすることで、電解水中の次亜塩素酸の濃度を高い濃度に調整できる。
【００３０】
また、貯水タンク５１には、サイホン方式で貯水タンク５１内の水を排水する排水管６７が設けられている。排水管６７は、貯水タンク５１の底部から上方に延びる第１鉛直部６７Ａと、この第１鉛直部６７Ａに連なり略水平方向に延びる水平部６７Ｂと、この水平部６７Ｂに連なりタンク外で下方に延びる第２鉛直部６７Ｃとを備える。この水平部６７Ｂは、通常の貯水タンク５１内の制御水位よりも若干高い位置に設けられており、給水弁５８を開いてこの高さ位置まで給水することにより、サイホンの原理によって貯水タンク５１内の水が排出される。
【００３１】
続いて、空気調和機１１０のより具体的な実施態様を説明する。
図５は、本実施形態における電解水循環供給部５の構成及び設置状態を示す外観斜視図である。理解の便宜を図るため、図５には熱源側ユニット１及び利用側ユニット２と、電解水循環供給部５と熱源側ユニット１及び利用側ユニット２との間に敷設される配管類とを、併せて図示する。
【００３２】
図５に示すように、電解水循環供給部５は、熱源側ユニット１及び利用側ユニット２とは別体として構成されるケース５０を有し、このケース５０に、貯水タンク５１（水槽）、食塩水タンク５９（水溶液タンク）、及び電装ボックス３０等を収容して構成される。電解水循環供給部５と除菌室１２０との間には、電解水循環供給部５から除菌室１２０に対して電解水を供給する電解水供給管５６、及び、除菌室１２０から電解水が電解水循環供給部５へ環流する循環水戻り管５５が接続されている。また、電解水循環供給部５には、市水を電解水循環供給部５へ供給する給水管５７が、減圧弁５７Ａを介して接続されている。さらに、電解水循環供給部５には、貯水タンク５１内の水位が所定水位を超えた場合に排水を行うオーバーフロー管６８、及び、貯水タンク５１内の電解水を排出する排水管６７が取り付けられている。また、除菌室１２０には、除菌室１２０内に納められた除菌ユニット１５０から空気調和機１１０の外へ電解水を排水する排水管６９が接続されている。
そして、電解水循環供給部５には、除菌室１２０に近い側に貯水タンク５１が配置され、貯水タンク５１の隣には食塩水タンク５９が並べて配置され、除菌室１２０とは反対側に電装ボックス３０が配置されている。
【００３３】
図６は、電解水循環供給部５の構成を示す分解斜視図である。
図６に示すように、電解水循環供給部５のケース５０は略直方体形状に形成され、上面が着脱可能な蓋（天面パネル）５０Ａとなっていて、底面を構成する底板５０Ｂの縁部に４つの側面がそれぞれ立設されている。これら４つの側面は、複数の配管が引き出される配管引出パネル５０Ｃ、配管引出パネル５０Ｃと対向する食塩水タンク側パネル５０Ｄ、ケース５０の前面（一側面）に設けられ、電装ボックス３０の側に位置する電装ボックス側パネル（サービス用パネル）５０Ｅ、及び、ケース５０の奥側の面（他側面）、すなわち、除菌室１２０（図５）の側に位置する背面パネル５０Ｆにより構成されている。
【００３４】
配管引出パネル５０Ｃは、貯水タンク５１が設置された側の側面に相当し、電解水循環供給部５の外部（すなわち空気除菌部４等）と貯水タンク５１とに繋がる各種配管を通すための複数の孔が開口している。
蓋５０Ａは、屋外に設置される電解水循環供給部５への雨水及び塵埃の侵入を防止するため、ケース５０の上面および各側面の上端を覆っている。蓋５０Ａは、図示しないねじ等により固定され、このねじを取り外すことによって開くことが可能である。蓋５０Ａの開放状態では、ケース５０の内部に収容された電装ボックス３０、貯水タンク５１、電解ユニット５２、送水ポンプ５３、食塩水タンク５９、供給ポンプ６１等の各部へのアクセスが可能となる。
【００３５】
電装ボックス側パネル５０Ｅは、背面パネル５０Ｆとは反対側に面する側面であり、配管引出パネル５０Ｃ及び食塩水タンク側パネル５０Ｄの端を折り曲げて形成したカバー取付部５０Ｇ等にねじ止めにより着脱自在に取り付けられている。
電装ボックス側パネル５０Ｅを取り外すと、ケース５０の一側面が開放され、直方体の電装ボックス３０の一側面を構成する電装ボックスカバー３０Ａ（カバー）が露出し、この電装ボックスカバー３０Ａを、電装ボックス側パネル５０Ｅ側に取り外すことが可能になる。電装ボックス３０には、制御部６５（図４）を構成するマイコン等が実装された制御基板３１や、電解ユニット５２、送水ポンプ５３、供給ポンプ６１等に電源を供給する電源回路部（電気回路部）３３等が収容されている。電装ボックスカバー３０Ａを取り外すと、電装ボックス３０の一側面が開放され、電装ボックス３０に収容された制御基板３１、及び、電源回路部３３等へのアクセスが可能になる。
このように、電装ボックス側パネル５０Ｅを取り外すと、電装ボックスカバー３０Ａが露出し、この電装ボックスカバー３０Ａを取り外すことで、電装ボックス３０の内部にアクセスできる。これにより、電装ボックス３０のメンテナンスを極めて容易に行うことができる。
【００３６】
ケース５０内においては、貯水タンク５１と食塩水タンク５９とが並べて配置され、この貯水タンク５１と食塩水タンク５９とが並ぶ方向に沿って、長手形状の箱である電装ボックス３０が配置されている。なお、この図６では、貯水タンク５１はその上面を開放して配置されているが、通常の使用態様では、この貯水タンク５１は、その上面を覆う蓋部材（図示略）により密閉されている。
電装ボックス３０は、その底面がケース５０の底板５０Ｂから浮くように、すなわち、底板５０Ｂとの間に所定の間隔を設けた状態で、ケース５０の側面にブラケット３５を介して固定されている。この電装ボックス３０の下方の空間には、供給ポンプ６１（水溶液供給ポンプ）及び送水ポンプ５３（電解水供給ポンプ）が並べて設置され、供給ポンプ６１は食塩水タンク５９側に、送水ポンプ５３は貯水タンク５１側に位置している。本構成では、所定の間隔とは、供給ポンプ６１及び送水ポンプ５３を設置するのに十分な隙間をいう。
ここで、電装ボックス３０が底板５０Ｂから浮いた位置で固定されているので、ケース５０内の各部から漏れたり、あふれたりした水や電解水或いは食塩水が、電装ボックス３０内部に進入することはなく、制御基板３１や電源回路部３３を確実に保護することができ、電源回路部３３等を貯水タンク５１や食塩水タンク５９と同一のケース５０に収める構成を可能としている。
【００３７】
供給ポンプ６１は、食塩水供給管６０を介して食塩水タンク５９の内部に繋がる吸込口６１Ａと、貯水タンク５１の食塩水投入部８５に繋がる吐出口６１Ｂとを有し、吸込口６１Ａから吸い込んだ食塩水を吐出口６１Ｂから吐出する。供給ポンプ６１の脚部６１Ｃは底板５０Ｂに固定されている。送水ポンプ５３は、貯水タンク５１内の電解水を吸い込む吸込口５３Ｂと、吸込口５３Ｂから吸い込んだ電解水を送水ポンプ５３へ吐出する吐出口５３Ａとを有する。ここで、吐出口５３Ａから吐出された電解水の一部は分岐して、上述のように電解ユニット５２へ供給される。送水ポンプ５３の脚部５３Ｃは底板５０Ｂに固定されている。
貯水タンク５１の電装ボックス３０側の面には、電解ユニット５２が取り付けられ、供給ポンプ６１により送出された食塩水が投入される食塩水投入部８５、貯水タンク５１内の電解水を供給する電解水供給口７８が配置されている。従って、電装ボックス３０の下方において供給ポンプ６１を食塩水タンク５９側に設置し、送水ポンプ５３を貯水タンク５１側に設置することで、各タンク及びポンプの間に敷設される配管長が短くて済み、無駄のない取り回しができる。具体的には、図４に示した分岐管５４、電解水供給管５６、食塩水供給管６０、及び排水管６７の各配管は、いずれも、電装ボックス３０の下方または電装ボックス３０と貯水タンク５１、食塩水タンク５９との間に敷設される。このため、配管長を抑えることができ、各配管が集中していることからメンテナンスが容易になる。
特に、本実施形態では、供給ポンプ６１及び送水ポンプ５３は、電装ボックス３０の下方空間に配置されているため、これら供給ポンプ６１及び送水ポンプ５３のメンテナンスや、分岐管５４、電解水供給管５６、食塩水供給管６０、及び排水管６７の各配管のメンテナンスは、電装ボックス側パネル５０Ｅを開放することにより、これら各部に簡単にアクセスすることができ、供給ポンプ６１、送水ポンプ５３、分岐管５４、電解水供給管５６、食塩水供給管６０、及び排水管６７のメンテナンスを極めて容易に行うことができる。
【００３８】
貯水タンク５１及び食塩水タンク５９は、電装ボックス３０の背面側、すなわち電装ボックス３０と背面パネル５０Ｆとの間に配置されている。これら貯水タンク５１及び食塩水タンク５９は、電装ボックス３０内に収容される制御基板３１や電源回路部３３よりもメンテナンス頻度が少ないため、電装ボックス側パネル５０Ｅを通じてメンテナンスを行う必要はない。しかし、本構成では、蓋５０Ａについても着脱自在に構成しているため、この蓋５０Ａを外すことにより、貯水タンク５１及び食塩水タンク５９内に溜まったスケールの除去等のメンテナンスを簡単に行うことができる。
【００３９】
また、貯水タンク５１の配管引出パネル５０Ｃ側の面には、オーバーフロー排出口８１、水抜き口８２、及び、循環水戻り口８４が設けられている。オーバーフロー排出口８１は、貯水タンク５１内の電解水の水位が、オーバーフロー排出口８１の高さを超えた場合に、電解水をオーバーフロー管６８（図５）に排出させる開口部である。循環水戻り口８４は、除菌室１２０からの循環水戻り管５５が接続される開口部である。また、水抜き口８２は、メンテナンス時に貯水タンク５１内の電解水を強制的に全量排水するための開口部であり、手作業により開閉されるコックが取り付けられている。
【００４０】
貯水タンク５１の内部は仕切壁６４によって区画され、仕切壁６４には貫通孔が設けられており、この貫通孔にはスケールフィルタ６６が取り付けられている。すなわち、貯水タンク５１内は、スケールフィルタ６６によって電解ユニット５２側の室と、電解水供給口８８側の室とに区画され、電解水は電解ユニット５２側の室から他方の室へスケールフィルタ６６を通って流れる。スケールフィルタ６６の下流側の室には、異なる高さ位置に複数のフロートスイッチＦＳが取り付けられている。
【００４１】
ところで、本実施形態では、上述のように、電装ボックス３０が底板５０Ｂから浮いた位置で固定されているので、ケース５０内に漏れた水や電解水或いは食塩水が、電装ボックス３０内部に進入することはなく、この電装ボックス３０内に収容される制御基板３１や電源回路部３３を保護することができる。
一方、電解水循環供給部５は、上述のように、空気調和機１１０とともに屋外に配置されるものである。このため、電装ボックス側パネル５０Ｅを開放して、電装ボックス３０のメンテナンス時に雨が降ることもあり、この雨水等が電装ボックス３０内に進入しないような構成とすることが望まれる。
本実施形態では、図７に示すように、蓋５０Ａは、その上面９０が電装ボックス側パネル５０Ｅから背面パネル５０Ｆに向けて下って傾斜するように形成されている。この蓋５０Ａは、上面９０の各縁部から下方に延出する前縁部９１、側縁部９２、９３及び後縁部９４を備え、前縁部９１は後縁部９４よりも高く形成されている。また側縁部９２、９３は、後縁部９４を上底、前縁部９１を下底とする略台形状に形成される。各縁部には、下端から同一距離となる位置に形成された孔部を備え、この孔部を介して、蓋５０Ａをケース５０の各側面にねじ止めすることにより、この蓋５０Ａの上面９０が傾斜した状態で取り付けられる。
【００４２】
この構成によれば、蓋５０Ａの上面９０に付着した雨水は、図７中矢印で示すように、重力によってケース５０の背面パネルに向けて流れるため、電装ボックス側パネル５０Ｅを開放して、電装ボックス３０のメンテナンスを行う場合であっても、この雨水が電装ボックス側パネル５０Ｅの開口を通じて電装ボックス３０内部に進入することが抑制され、この電装ボックス３０内に収容される制御基板３１や電源回路部３３を保護することができる。
ここで、本実施形態では、蓋５０Ａを、電装ボックス側パネル５０Ｅから背面パネル５０Ｆに向けて下って傾斜するように取り付けられているため、ケース５０の内部空間は、電装ボックス側パネル５０Ｅ側の方が背面パネル５０Ｆよりも高く形成される。この構成によれば、電装ボックス側パネル５０Ｅには高さ方向に余裕があるため、ケース５０の電装ボックス側パネル５０Ｅ側に、電装ボックス３０と、この電装ボックス３０の下方に供給ポンプ６１及び送水ポンプ５３とを配置することができ、これら電装ボックス３０、供給ポンプ６１及び送水ポンプ５３をケース内にまとまり良く配置することができる。
【００４３】
また、本実施形態では、電装ボックス側パネル５０Ｅは、この電装ボックス側パネル５０Ｅの上縁部９７を蓋５０Ａの前縁部９１の内側に挿し込み、これらをねじで固定しているため、電装ボックス側パネル５０Ｅの上縁部９７は、蓋５０Ａの前縁部９１で覆われることにより、ケース５０内に雨水が進入することが防止されている。
【００４４】
以上、本実施形態によれば、空気調和機１１０が備える電解水循環供給部５は、単一のケース５０内に、貯水タンク５１と、貯水タンク５１内の水を電気分解して電解水を生成する電解ユニット５２と、電解ユニット５２が生成した電解水を外部へ供給する送水ポンプ５３と、電解ユニット５２及び送水ポンプ５３に電源を供給する電源回路部３３を収容した電装ボックス３０とが収容され、ケース５０は、一側面に開放可能な電装ボックス側パネル５０Ｅを備え、この電装ボックス側パネル５０Ｅ側であって当該ケース５０の底板５０Ｂから間隔をあけた位置に電装ボックス３０を配設するとともに、電装ボックス側パネル５０Ｅから背面パネル５０Ｆに向けて下って傾斜する上面９０を有する蓋５０Ａを設けた。
これにより、電源回路部３３を収容した電装ボックス３０を、貯水タンク５１と、電解ユニット５２と、送水ポンプ５３と、電源回路部３３を収容した電装ボックス３０とをケース５０内に収容しながら、電装ボックス側パネル５０Ｅを通じて電装ボックス３０のメンテナンスを容易に行うことができる。
また、電装ボックス３０はケース５０の底板５０Ｂから間隔をあけて配設されているため、電源回路部３３への水や電解水の進入を防止し、電源回路部３３を確実に保護できる。更に、ケース５０は、電装ボックス側パネル５０Ｅから背面パネル５０Ｆに向けて下って傾斜する上面９０を有する蓋５０Ａを備えるため、この蓋５０Ａの上面上に付着した水は、ケース５０の背面パネル５０Ｆに向けて流れることにより、電装ボックス側パネル５０Ｅを開放した場合であっても、この水が電装ボックス側パネル５０Ｅの開口を通じて電装ボックス３０内部に進入することが抑制され、この電装ボックス３０内に収容される制御基板３１や電源回路部３３を保護することができる。
【００４５】
また、本実施形態によれば、電装ボックス３０の下方に送水ポンプ５３を配置したため、電装ボックス３０の下方空間を有効に利用し、送水ポンプ５３をケース５０内にまとまり良く配置することができる。また、電装ボックス側パネル５０Ｅを通じて、送水ポンプ５３に簡単にアクセスすることができるため、この送水ポンプ５３に配管を接続する作業等のメンテナンスを容易に行うことができる。
【００４６】
また、本実施形態によれば、貯水タンク５１を、電装ボックス３０と背面パネル５０Ｆとの間に配置したため、メンテナンスの頻度の低い貯水タンク５１と、メンテナンス頻度の高い電装ボックス３０とを区分けし、ケース５０内に貯水タンク５１及び電装ボックス３０をまとまり良く配置することができる。
【００４７】
また、一つの大空間としての映画館１００に開口した複数の吹出口１０４に給気ダクト１０５を介して接続される除菌室１２０を、上記大空間を有するビル２００の屋上に設け、この除菌室１２０内に空気除菌部４を設けるとともに、除菌室１２０内の空気除菌部４に電解水を供給する電解水循環供給部５を、除菌室１２０とともに屋上に設置したので、大空間の空気を清浄化することが可能となる。ここで、屋上に設置される電解水循環供給部５においては、優れたメンテナンス性を確保するとともに、効率のよい配線の取り回しを実現することが可能で、さらに、電源回路部３３への水や電解水の進入を防止し、電源回路部３３を確実に保護できるので、大空間の空気を清浄化する除菌ユニット１５０を容易に低コストで実現できる。
【００４８】
以上、実施形態に基づいて本発明を説明したが、本発明はこれに限定されるものではない。本実施形態では、電解水循環供給部５のケース５０において、電装ボックス３０がケース５０の側面に固定される構成としたが、本発明はこれに限定されるものではなく、サービス口を介して外部から電装ボックス３０にアクセスできるのであれば、柱や脚により電装ボックス３０を支持して、底板５０Ｂから浮かせた位置で固定してもよい。
【図面の簡単な説明】
【００４９】
【図１】本実施形態にかかるルーフトップ型空気調和機が建屋に設置された状態を示す断面図である。
【図２】空気調和機の概略構成を示す図である。
【図３】空気調和機の内部構成を上方から見た図である。
【図４】空気調和機に設けられた除菌ユニットの概略構成を示す図である。
【図５】電解水循環供給部の構成及び設置状態を示す図である。
【図６】電解水循環供給部の構成を示す分解斜視図である。
【図７】電解水循環供給部から電装ボックス側パネルを取り外した状態を示す分解斜視図である。
【符号の説明】
【００５０】
１  熱源側ユニット
２  利用側ユニット
４  空気除菌部
５  電解水循環供給部（電解水生成装置）
３０  電装ボックス
３０Ａ  電装ボックスカバー
３１  制御基板
３３  電源回路部（電気回路部）
４０Ａ、４０Ｂ、４０Ｃ、４０Ｄ、４０Ｅ、４０Ｆ  エレメントユニット
４１Ａ１、４１Ａ２、４１Ｂ１、４１Ｂ２、４１Ｃ１、４１Ｃ２、４１Ｄ１、４１Ｄ２、４１Ｅ１、４１Ｅ２、４１Ｆ１、４１Ｆ２  気液接触部材
５０  ケース
５０Ａ  蓋
５０Ｂ  底板
５０Ｅ  電装ボックス側パネル（サービス用パネル）
５０Ｆ  背面パネル（他側面）
５０Ｇ  カバー取付部
５１  貯水タンク（水槽）
５２  電解ユニット
５３  送水ポンプ（電解水供給ポンプ）
５６  電解水供給管
５９  食塩水タンク（水溶液タンク）
６１  供給ポンプ（水溶液供給ポンプ）
６７  排水管
７２、７３  電極板
９０  上面
９１  前縁部
９４  後縁部
１００  映画館（大空間）
１１０  空気調和機
１１６  一方の室（機械室）
１１９  熱交換室
１２０  除菌室（チャンバ）
１５０  除菌ユニット（除菌システム）
２００  ビル
【図１】
2010104888.tif 000003
【図２】
2010104888.tif 000004
【図３】
2010104888.tif 000005
【図４】
2010104888.tif 000006
【図５】
2010104888.tif 000007
【図６】
2010104888.tif 000008
【図７】
2010104888.tif 000009